(57)【要約】【課題】本発明は、極めて商品価値の高い画期的なボックス掛け具を提供することを目的とするものである。【解決手段】ティッシュ収納ボックスやコットン収納ボックスなどのボックス１を壁面や垂直面などの掛け保持させたい任意の箇所２に掛け保持するためのボックス掛け具であって、掛け具本体Ａは、前記任意の箇所２に止着するための止着手段３を有する基部４と、この基部４に連設され、前記ボックス１の周壁１ａに形成される孔部８に嵌挿係止し得る係止部５とから成り、この係止部５は、前記孔部８に対して嵌挿させるとともに上方へ移動させることで係止し得る上向きフック状に形成されており、この係止部５の正面立ち上がり面にして前記孔部８に突き当てる突き当て面５ａを湾曲面に形成することで、孔部８内に落ち込み誘導されて嵌挿されるように前記係止部５は構成されたものである。【選択図】        図１
2004329271.tif 000002
【特許請求の範囲】
【請求項１】
ティッシュ収納ボックスやコットン収納ボックスなどのボックスを壁面や垂直面などの掛け保持させたい任意の箇所に掛け保持するためのボックス掛け具であって、掛け具本体は、前記任意の箇所に止着するための止着手段を有する基部と、この基部に連設され、前記ボックスの周壁に形成される孔部に嵌挿係止し得る係止部とから成り、この係止部は、前記孔部に対して嵌挿させるとともに上方へ移動させることで係止し得る上向きフック状に形成されており、この係止部の正面立ち上がり面にして前記孔部に突き当てる突き当て面を湾曲面に形成することで、孔部内に落ち込み誘導されて嵌挿されるように前記係止部は構成されていることを特徴とするボックス掛け具。
【請求項２】
前記係止部の突き当て面は平面方向から見て凸湾曲面に形成されていることを特徴とする請求項１記載のボックス掛け具。
【請求項３】
前記係止部の先端面にして上端面を該係止部のフック孔に向けて下り傾斜する傾斜面としたことを特徴とする請求項１，２のいずれか１項に記載のボックス掛け具。
【請求項４】
前記掛け具本体は合成樹脂製の部材を一体成形して構成されていることを特徴とする請求項１〜３のいずれか１項に記載のボックス掛け具。
【請求項５】
前記基部として所定長さを有する板状の基部を採用し、この基部の左右位置に前記係止部を設けたことを特徴とする請求項１〜４のいずれか１項に記載のボックス掛け具。
【発明の詳細な説明】
【０００１】
【発明の属する技術分野】
本発明は、ボックス掛け具に関するものである。
【０００２】
【従来の技術及び発明が解決しようとする課題】
従来から、例えばティッシュ収納ボックスを壁面に掛け保持するためのボックス掛け具が種々提案されており、これらが提案される以前はテーブルやダッシュボードの上に置いていたティッシュ収納ボックスを壁面に移動させることで、この空きスペースが有効利用できることになり、しかも、ティッシュの使用スタイルの選択肢が飛躍的に増えるなど非常に便利とされる。
【０００３】
本出願人は、このボックス掛け具について更なる実験、研究を重ねた結果、極めて商品価値の高い画期的なボックス掛け具を開発した。
【０００４】
【課題を解決するための手段】
添付図面を参照して本発明の要旨を説明する。
【０００５】
ティッシュ収納ボックスやコットン収納ボックスなどのボックス１を壁面や垂直面などの掛け保持させたい任意の箇所２に掛け保持するためのボックス掛け具であって、掛け具本体Ａは、前記任意の箇所２に止着するための止着手段３を有する基部４と、この基部４に連設され、前記ボックス１の周壁１ａに形成される孔部８に嵌挿係止し得る係止部５とから成り、この係止部５は、前記孔部８に対して嵌挿させるとともに上方へ移動させることで係止し得る上向きフック状に形成されており、この係止部５の正面立ち上がり面にして前記孔部８に突き当てる突き当て面５ａを湾曲面に形成することで、孔部８内に落ち込み誘導されて嵌挿されるように前記係止部５は構成されていることを特徴とするボックス掛け具に係るものである。
【０００６】
また、前記係止部５の突き当て面５ａは平面方向から見て凸湾曲面に形成されていることを特徴とする請求項１記載のボックス掛け具に係るものである。
【０００７】
また、前記係止部５の先端面５ｂにして上端面を該係止部５のフック孔５ｃに向けて下り傾斜する傾斜面としたことを特徴とする請求項１，２のいずれか１項に記載のボックス掛け具に係るものである。
【０００８】
また、前記掛け具本体Ａは合成樹脂製の部材を一体成形して構成されていることを特徴とする請求項１〜３のいずれか１項に記載のボックス掛け具に係るものである。
【０００９】
また、前記基部４として所定長さを有する板状の基部４を採用し、この基部４の左右位置に前記係止部５を設けたことを特徴とする請求項１〜４のいずれか１項に記載のボックス掛け具に係るものである。
【００１０】
【発明の実施の形態】
好適と考える本発明の実施の形態（発明をどのように実施するか）を、図面に基づいてその作用効果を示して簡単に説明する。
【００１１】
本発明は、使用に際し、例えば掛け具本体Ａを壁面や垂直面などの掛け保持させたい任意の箇所２に止着手段３により止着する。この任意の箇所２に止着された掛け具本体Ａの係止部５をボックス１の孔部８を嵌挿係止することで、ボックス１を任意の箇所２に掛け保持することができる。
【００１２】
ところで、本発明は、この係止部５は、前記ボックス１の孔部８に嵌挿させるとともに上方へ移動させることで係止し得る上向きフック状に形成されており、この係止部５の正面立ち上がり面にして前記孔部８に突き当てる突き当て面５ａを湾曲面に形成することで、孔部８内に落ち込み誘導されて嵌挿されるように前記係止部５は構成されており、これはボックス１に対するスムーズな係止を可能にする。
【００１３】
具体的には、例えばボックス１の周壁１ａに形成される孔部８にフック状の係止部５を係止させて掛け保持する構造において、この孔部８はボックス１の陰になって見えない位置に形成され且つ孔部８と係止部５の大きさは同じくらいの大きさに形成されるのが一般的である為（孔部８と係止部５の大きさが違いすぎるとガタつくなどの不具合が生じる）、例えば孔部８に突き当てる係止部５の突き当て面５ａが平坦面であったりした場合には、孔部８に対して素早く嵌挿させることができないが、この点、本発明は、前述した構成から突き当て面５ａをボックス１の周壁面に沿わせるなどして孔部８の近傍に配した際、この湾曲する突き当て面５ａにより孔部８内に落ち込み誘導されて嵌挿されることになり、よって、ボックス１の孔部８に係止部５をスムーズに係止させることができることになる。
【００１４】
従って、ボックス１を掛け保持させたい任意の箇所２に掛け保持させることが簡易且つ迅速に行えることになり、非常に使い易いものとなる。
【００１５】
【実施例】
本発明の具体的な実施例について図面に基づいて説明する。
【００１６】
符号１は、掛け保持させたいボックスとしてのティッシュ収納ボックス、８はボックス１の周壁１ａにしてボックス１内に向けて切り起こし片８ａを切り起こし状態に設けて形成される孔部である。尚、このボックス１の孔部８は、図５〜７に図示したようにその形状や形成箇所は適宜設計し得るものであり、この孔部８の形成箇所によってボックス１の掛け保持状態を選択することができる。
【００１７】
本実施例は、ボックス１を壁面や垂直面などの掛け保持させたい任意の箇所２に掛け保持するためのものである。尚、本実施例では、ボックス１としてティッシュ収納ボックスを採用しているが、これに限られるものではなく、コットン収納ボックスやキッチンペーパー収納ボックスなど本実施例の特性を発揮し得る構成であれば適宜採用し得るものである。
【００１８】
具体的には、掛け具本体Ａは、適度な可撓性を有する合成樹脂製の部材を一体成形したものであり、薄板状の基部４と、この基部４の左右位置に突設される係止部５とで構成されている。
【００１９】
基部４は、図１に図示したようにその裏面部に粘着テープ３が付設されており、この粘着テープ３は掛け保持したい任意の箇所２に止着するための止着手段３として構成されている。符号４ａはビスやネジなどの止着部材を介して基部４を任意の箇所２に止着する際に使用する止着孔である。
【００２０】
係止部５は、図１に図示したように基部４の表面部から突出する突出部６と、この突出部６の先端に屈曲状態に連設され、基部４の表面部に対して添設状態に設けられる立ち上がり部７とで構成されており、この係止部５は、前記ボックス１の孔部８に嵌挿させるとともに上方へ移動させることで係止し得る上向きフック状に形成されている。尚、実際にボックス１を掛け保持させるためには、係止部５に対してボックス１の孔部８を突き当てて係止部５を孔部８に嵌挿させるとともに、ボックス１を下方に移動させることで係止し得ることになる。
【００２１】
また、係止部５は、図１に図示したように立ち上がり部７の正面立ち上がり面（外面）にして孔部８に対して突き当てる突き当て面５ａが平面方向から見て凸湾曲面に形成されている。
【００２２】
これは、係止部５がボックス１の孔部８内に誘導されて嵌挿されることに貢献する。
【００２３】
具体的には、図２に図示したように突き当て面５ａが凸湾曲面である為、突き当て面５ａをボックス１の周壁１ａの表面に沿わせるなどして孔部８の近傍に配設すると、この湾曲する突き当て面５ａにより孔部８内に落ち込み誘導される（図２中の矢印方向に誘導される）ことになり、よって、係止部５はボックス１の孔部８が略同じくらいの大きさであってもこの孔部８に対してスムーズに嵌挿係止させることができることになる。
【００２４】
また、係止部５は、図１，３，４に図示したようにその先端面５ｂにして上端面を該係止部５のフック孔５ｃに向けて下り傾斜する傾斜面としている。
【００２５】
従って、係止部５は突き当て面５ａにより孔部８内へ誘導されて嵌挿されるとともに、上方へ移動させた際（ボックス１を下方へ移動させた際）、この傾斜する先端面５ｂを孔部８の開口縁８ａ’が滑り動することになり、ボックス１の周壁１ａはフック孔５ｃ内へ円滑に誘導されることになる（図４参照）。
【００２６】
また、係止部５は、図１，３，４に図示したように突出部６と立ち上がり部７との屈曲連設部９の外面（正面）を湾曲面に形成されている。
【００２７】
従って、ボックス１の孔部８内に嵌挿係止された係止部５を抜く際、この湾曲面により引っ掛からずに抜け方向に誘導されることになり、孔部８から係止部５を円滑に抜くことができる。
【００２８】
また、係止部５は、合成樹脂製故に適度な弾性を有するものであり、ボックス１の孔部８に嵌挿係止させて該係止部５のフック孔５ｃ内に孔部８周囲の周壁１ａを配した際、該係止部５の内面と基部４の表面とで周壁１ａを圧接状態でガタつくことなく堅固にして安定して挟持するように構成されている（図４参照）。
【００２９】
本実施例は上述のように構成したから、使用に際し、例えば掛け具本体Ａを壁面や垂直面などの掛け保持させたい任意の箇所２に止着手段３により止着する。この任意の箇所２に止着された掛け具本体Ａの係止部５にボックス１の孔部８をあてがって嵌挿係止することで（係止部５を孔部８に嵌挿させるとともにボックス１を下方に移動させることで係止させる。）、ボックス１を任意の箇所２に掛け保持することができる。
【００３０】
よって、本実施例によれば、ボックス１を掛け保持させたい任意の箇所２に掛け保持させることが簡易且つ迅速に行えることになり、日常生活におけるティッシュペーパーの使用設置場所の選択がひろがり、非常に使い易いものとなり、一般の健常者は勿論、福祉関係、老人、身体障害者などの体の不自由な人がより快適な生活が遅れることになる。また、係止部５の湾曲して丸みを帯びている突き当て面５ａはティッシュなどの内容物を傷めてしまうのも可及的に防止し得ることになり、しかも、掛け具本体Ａを任意の箇所２に付設する際や、ボックス１を掛け保持させる際や、掛け保持されるボックス１を取り外す際など、体に接触したとしても安全である。
【００３１】
また、本実施例は、係止部５の突き当て面５ａは平面方向から見て凸湾曲面に形成されているから、係止部５がボックス１の周壁１ａに形成される孔部８内に確実に落ち込み誘導されて嵌挿されることになる。
【００３２】
また、本実施例は、係止部５の先端面５ｂにして上端面を該係止部５のフック孔５ｃに向けて下り傾斜する傾斜面としたから、孔部８に嵌挿させる一連の動作の中で係止部５を孔部８に対して嵌挿させるとともに上方へ移動させることが簡易且つ迅速に行えることになる。
【００３３】
また、本実施例は、掛け具本体Ａは合成樹脂製の部材を一体成形して構成されているから、係止部５に挟み込み弾性を具備せしめることができる故により一層良好でガタつくことのない堅固な係止状態が得られることになり、しかも、簡易構造故にコスト安にして量産性に秀れることになる。
【００３４】
また、本実施例は、基部４として所定長さを有する板状の基部４を採用し、この基部４の左右位置に係止部５を設けたから、左右の係止部５でボックス１を確実（堅固）に掛け保持させる（係止させる）ことができることになる。
【００３５】
尚、本発明は、本実施例に限られるものではなく、各構成要件の具体的構成は適宜設計し得るものである。
【００３６】
【発明の効果】
本発明は上述のように構成したから、ボックスを掛け保持させたい任意の箇所に掛け保持させることが簡易且つ迅速に行えることになり、非常に使い易いものとなるなど極めて商品価値の高い画期的なボックス掛け具となる。
【００３７】
また、請求項２記載の発明においては、係止部がボックスの周壁に形成される孔部内に確実に落ち込み誘導されて嵌挿されることになるなど極めて商品価値の高い画期的なボックス掛け具となる。
【００３８】
また、請求項３記載の発明においては、より一層良好な係止操作が行えることになるなど極めて商品価値の高い画期的なボックス掛け具となる。
【００３９】
また、請求項４記載の発明においては、より一層良好な係止状態が得られることになるなど極めて商品価値の高い画期的なボックス掛け具となる。
【００４０】
また、請求項５記載の発明においては、より一層良好な係止状態が得られることになるなど極めて商品価値の高い画期的なボックス掛け具となる。
【図面の簡単な説明】
【図１】本実施例を示す斜視図である。
【図２】本実施例に係る要部の概略動作説明図である。
【図３】本実施例に係る要部の概略動作説明図である。
【図４】本実施例に係る要部の概略動作説明図である。
【図５】ボックスの展開図である。
【図６】ボックスに係る孔部の説明図である。
【図７】本実施例の使用状態説明図である。
【符号の説明】
Ａ  掛け具本体
１  ボックス
１ａ  周壁
２  任意の箇所
３  止着手段
４  基部
５  係止部
５ａ  突き当て面
５ｂ  先端面
５ｃ  フック孔
８  孔部
【図１】
2004329271.tif 000003
【図２】
2004329271.tif 000004
【図３】
2004329271.tif 000005
【図４】
2004329271.tif 000006
【図５】
2004329271.tif 000007
【図６】
2004329271.tif 000008
【図７】
2004329271.tif 000009